【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
（ａ）有効量のフォトルミネセンスリン光物質と；
（ｂ）少なくとも１種の液体キャリア媒体と；
（ｃ）少なくとも１種の重合体樹脂と；
（ｄ）少なくとも１種の配合物安定化添加剤と、を含むフォトルミネセンス配合物であって、
前記フォトルミネセンスリン光物質は前記配合物中に均一に分配され、吸収性着色顔料である追加的な物質は存在せず、さらに前記安定化添加剤は前記液体キャリア媒体中で固形粒子状態ではない、フォトルミネセンス配合物。
【請求項２】
前記配合物安定化添加剤は分散剤とレオロジー改質剤とを含む、請求項１に記載のフォトルミネセンス配合物。
【請求項３】
前記フォトルミネセンスリン光物質は、放射性ではなく、金属硫化物型物質でもない、請求項１または２に記載のフォトルミネセンス配合物。
【請求項４】
前記フォトルミネセンスリン光物質は、アルカリ土類アルミン酸塩、アルカリ土類ケイ酸塩、アルカリ土類アルミノケイ酸塩、およびこれらの組合せからなる群より選択される、請求項１または２に記載のフォトルミネセンス配合物。
【請求項５】
前記フォトルミネセンスリン光物質は、ユウロピウムと、ジスプロシウム、ランタン、セリウムプラセオジム、ネオジム、サマリウム、ガドリニウム、ホルミウム、エルビウム、ツリウム、イッテルビウム、ルテチウム、スズ、マンガンおよびビスマスからなる群より選択される少なくとも１種の共活性化剤とによって活性化される酸化金属アルミン酸塩であり、前記金属は、１またはそれ以上のストロンチウム、カルシウム、マグネシウムおよびバリウムである、請求項４に記載のフォトルミネセンス配合物。
【請求項６】
前記重合体樹脂は、アクリレート類、ポリ塩化ビニル類、ポリウレタン類、ポリカーボネート類およびポリエステル類、ならびにこれらの組合せからなる群より選択される、請求項１〜５のいずれか一項に記載のフォトルミネセンス配合物。
【請求項７】
前記配合物安定化添加剤は、アクリル酸−アクリルアミド重合体、またはアミン官能性化合物および酸の塩類、顔料親和性基を有するヒドロキシ官能性カルボン酸エステル類、ならびにこれらの組合せからなる群より選択される分散剤である、請求項６に記載のフォトルミネセンス配合物。
【請求項８】
前記配合物安定化添加剤は、尿素ウレタン重合体である、請求項６に記載のフォトルミネセンス配合物。
【請求項９】
前記安定化添加剤は、湿潤剤である性能強化添加剤をさらに含む、請求項６に記載のフォトルミネセンス配合物。
【請求項１０】
前記配合物は、ＦＴが少なくとも９５．０％である、請求項９に記載のフォトルミネセンス配合物。
【請求項１１】
前記分散剤は、アクリル酸−アクリルアミド重合体、またはアミン官能性化合物および酸の塩類、顔料親和性基を有するヒドロキシ官能性カルボン酸エステル、ならびにこれらの組合せからなる群より選択され、前記レオロジー改質剤は、尿素ウレタン重合体であり、さらに前記湿潤剤は、ポリエーテルシロキサン共重合体、非イオン性有機界面活性剤およびこれらの組合せからなる群より選択される、請求項９または１０に記載のフォトルミネセンス配合物。
【請求項１２】
脱泡剤／消泡剤である性能強化添加剤をさらに含む、請求項９に記載のフォトルミネセンス配合物。
【請求項１３】
前記配合物は、ＦＴが少なくとも９０％である、請求項１１に記載のフォトルミネセンス配合物。
【請求項１４】
前記分散剤は、酸−アクリルアミド重合体、アミン官能性化合物および酸の塩類、顔料親和性基を有するヒドロキシ官能性カルボン酸エステル、およびこれらの組合せからなる群より選択され、前記レオロジー改質剤は尿素ウレタン重合体であり、前記湿潤剤は、ポリエーテルシロキサン共重合体、非イオン性有機界面活性剤、およびこれらの組合せからなる群より選択され、さらに前記脱泡剤／消泡剤は、ヒュームドシリカで修飾された有機ポリシロキサン類である、請求項１２または１３に記載のフォトルミネセンス配合物。
【請求項１５】
前記フォトルミネセンスリン光物質はＨ−１３、Ｈ−１４、緑色リン光顔料、または青色リン光顔料であり、前記重合体樹脂はＮｅｏＣｒｙｌ  Ｂ−８１８、ＮｅｏＣｒｙｌ  Ｂ−７３５、ＮｅｏＣｒｙｌ  Ｂ−８１３またはこれらの組合せであり、前記分散剤は、ＤＩＳＰＥＲＢＹＫ−１８０、ＤＩＳＰＥＲＢＹＫ−１８１、ＤＩＳＰＥＲＢＹＫ−１０８またはＴｅｇｏ  Ｄｉｓｐｅｒｓｅ  ７１０であり、前記レオロジー改質剤はＢＹＫ−４１０またはＢＹＫ−４１１であり、前記湿潤剤は、Ｔｅｇｏ  Ｗｅｔ  ２７０またはＴｅｇｏ  Ｗｅｔ  ５００であり、さらに前記脱泡剤／消泡剤は、Ｔｅｇｏ  Ａｉｒｅｘ  ９００である、請求項１２または１３に記載のフォトルミネセンス配合物。
【請求項１６】
配合物の重量基準で、
（ａ）約３３％〜約４０％のフォトルミネセンスリン光物質であって、前記フォトルミネセンスリン光物質は、Ｈ−１３、Ｈ−１４、緑色リン光顔料および青色リン光顔料からなる群より選択され、前記フォトルミネセンスリン光物質は前記配合物中に均一に分配されているフォトルミネセンスリン光物質と、
（ｂ）ＥＧＭＭＥおよびＭＩＢＫを含む液体キャリア媒体であって、ＥＧＭＭＥが約２８％〜約４０％の量で存在する液体キャリア媒体と、
（ｃ）アクリル重合体樹脂であって、前記アクリル重合体樹脂は、ＮｅｏＣｒｙｌ  Ｂ−８１８、ＮｅｏＣｒｙｌ  Ｂ−７３５、ＮｅｏＣｒｙｌ  Ｂ−８１３およびこれらの組合せからなる群より選択され、フォトルミネセンスリン光物質のアクリル重合体樹脂に対する比が１〜２である樹脂と、
（ｄ）ＤＩＳＰＥＲＢＹＫ−１８０、ＤＩＳＰＥＲＢＹＫ−１８１、ＤＩＳＰＥＲＢＹＫ−１０８またはＴｅｇｏ  Ｄｉｓｐｅｒｓｅ  ７１０である分散剤を含み、約１％〜約３％の量で存在する安定化添加剤；ＢＹＫ−４１０またはＢＹＫ−４１１であり、約１％〜約２％の量で存在するレオロジー改質剤；約０．５％〜約２．５％の量で存在するＴｅｇｏ  Ｗｅｔ  ２７０またはＴｅｇｏ  Ｗｅｔ  ５００である湿潤剤；Ｔｅｇｏ  Ａｉｒｅｘ  ９００であり、約１％〜約３％の量で存在する脱泡剤／消泡剤と、
を含むフォトルミネセンス配合物。
【請求項１７】
フォトルミネセンス蛍光物質をさらに含む、請求項３〜１６のいずれか一項に記載のフォトルミネセンス配合物。
【請求項１８】
光安定剤をさらに含む、請求項１７に記載のフォトルミネセンス配合物。
【請求項１９】
前記フォトルミネセンス蛍光物質の少なくともいくつかは、励起変更フォトルミネセンス蛍光物質であり、前記励起変更フォトルミネセンス蛍光物質が、前記フォトルミネセンス配合物の光度を増加させる、請求項１７または１８に記載のフォトルミネセンス配合物。
【請求項２０】
前記励起変更フォトルミネセンス蛍光物質は、クマリン、スチリルベンゼン、オキサゾール、カルボスチリル、スチルベン、およびこれらの組合せからなる群より選択される、請求項１９に記載のフォトルミネセンス配合物。
【請求項２１】
前記励起変更蛍光物質は、１，４−ビス（２−メチルスチリル）ベンゼン、７−アミノ−４−メチルクマリン、またはこれらの組合せである、請求項１９に記載のフォトルミネセンス配合物。
【請求項２２】
前記フォトルミネセンス蛍光物質の少なくともいくつかは、放出色変更蛍光物質であり、前記放出色変更蛍光物質は、前記フォトルミネセンス蛍光物質の添加前に認識される色と比較して認識される色を変更するために、前記フォトルミネセンス配合物の放出スペクトルを変更する、請求項１７または１８に記載のフォトルミネセンス配合物。
【請求項２３】
前記放出色変更蛍光物質は、ローダミン染料および蛍光染料を含むキサンテン系蛍光染料、クマリン染料、ナイルレッド、ナイルブルー、クレシルバイオレットを含むフェノキサゾン染料、フェノキサゾールスチリル系染料、カルボスチリル系染料、スチルベン系染料、およびこれらの組合せからなる群より選択される、請求項２２に記載のフォトルミネセンス配合物。
【請求項２４】
放出色変更蛍光物質であるフォトルミネセンス蛍光物質さらに含み、前記放出色変更蛍光物質は、前記フォトルミネセンス蛍光物質の添加前に認識される色と比較して認識される色を変更するために、前記フォトルミネセンス配合物の放出スペクトルを変更する、請求項１９に記載のフォトルミネセンス配合物。
【請求項２５】
前記励起変更フォトルミネセンス蛍光物質は、クマリン、スチリルベンゼン、オキサゾール、カルボスチリル、スチルベンおよびこれらの組合せからなる群より選択され、さらに前記放出色変更蛍光物質は、ローダミンおよび蛍光染料を含むキサンテン系蛍光染料、クマリン染料、ナイルレッド、ナイルブルー、クレシルバイオレットを含むフェノキサゾン染料、フェノキサゾールスチリル系染料、カルボスチリル系染料、スチルベン系染料、およびこれらの組合せからなる群より選択される、請求項２４に記載のフォトルミネセンス配合物。
【請求項２６】
前記フォトルミネセンス蛍光物質の少なくともいくつかが、前記フォトルミネセンス蛍光物質のない昼光色と比較して前記配合物の昼光色を変更する、請求項１７または１８に記載のフォトルミネセンス配合物。
【請求項２７】
前記フォトルミネセンス蛍光物質は、前記液体キャリア媒体中の溶液状態である、請求項１９〜２６のいずれか一項に記載のフォトルミネセンス配合物。
【請求項２８】
前記光安定剤は、Ｔｉｎｕｖｉｎ  ２９２、Ｔｉｎｕｖｉｎ  ４０５、Ｃｈｉｍａｓｏｒｂ  ２０２０２、Ｔｉｍｕｖｉｎ  ３２８またはこれらの組合せである、請求項１８〜２７のいずれか一項に記載のフォトルミネセンス配合物。
【請求項２９】
（ａ）成形済み物品と、
（ｂ）少なくとも１種のフォトルミネセンスリン光性層と、を含むフォトルミネセンス品であって、
前記フォトルミネセンスリン光性層は、請求項１〜１６のいずれか一項に記載の配合物から得られる、フォトルミネセンス品。
【請求項３０】
（ａ）成形済み物品と、
（ｂ）少なくとも１種のフォトルミネセンスリン光性層と、を含むフォトルミネセンス品であって、
前記フォトルミネセンスリン光性層は、請求項３〜１６のいずれか一項に記載の配合物から得られる、フォトルミネセンス品。
【請求項３１】
（ａ）成形済み物品と、
（ｂ）少なくとも１種のフォトルミネセンス層と、を含むフォトルミネセンス品であって、
前記フォトルミネセンス層は、請求項１７〜２８のいずれか一項に記載の配合物から得られる、フォトルミネセンス品。
【請求項３２】
（ｃ）少なくとも１種の反射層をさらに含み、
前記反射層は反射配合物から得られ、前記フォトルミネセンス層は前記成形済み物品の遠位にあり、前記反射層は前記成形済み物品の近位にあり、前記反射層は、前記フォトルミネセンス品からの総放出量が白色反射率層の総放出量の８０％を超えるような反射率を特徴とする、請求項２９〜３１のいずれか一項に記載のフォトルミネセンス品。
【請求項３３】
（ｃ）少なくとも１種の保護層をさらに含み、
前記保護層は保護配合物から得られ、前記保護層は前記成形済み物品の遠位にあり、前記フォトルミネセンス層は前記成形済み物品の近位にあり、前記保護層はＦＴが少なくとも９５％である、請求項２９または３１に記載のフォトルミネセンス品。
【請求項３４】
（ｃ）少なくとも１種の保護層をさらに含み、
前記保護層は保護配合物から得られ、前記保護層は前記成形済み物品の遠位にあり、前記フォトルミネセンス層は前記フォトルミネセンス品の近位にあり、前記保護層はＦＴが少なくとも９５％である、請求項３０に記載のフォトルミネセンス品。
【請求項３５】
前記保護層が、フォトルミネセンス蛍光物質をさらに含み、それによって、フォトルミネセンス蛍光保護層となる、請求項３４に記載のフォトルミネセンス品。
【請求項３６】
前記フォトルミネセンス蛍光保護層が、光安定剤をさらに含む、請求項３５に記載のフォトルミネセンス品。
【請求項３７】
前記フォトルミネセンス蛍光物質の少なくともいくつかは、励起変更フォトルミネセンス蛍光物質であり、前記励起変更フォトルミネセンス蛍光物質が、前記フォトルミネセンス品の光度を増加させる、請求項３５または３６に記載のフォトルミネセンス品。
【請求項３８】
前記フォトルミネセンス蛍光物質は、前記フォトルミネセンス蛍光保護層用の保護配合物において使用される液体キャリア媒体に溶解する、請求項３７に記載のフォトルミネセンス品。
【請求項３９】
前記励起変更フォトルミネセンス蛍光物質は、クマリン、スチリルベンゼン、オキサゾール、カルボスチリル、スチルベンおよびこれらの組合せからなる群より選択される、請求項３７または３８に記載のフォトルミネセンス品。
【請求項４０】
前記励起変更蛍光物質は、１，４−ビス（２−メチルスチリル）ベンゼン、７−アミノ−４−メチルクマリン、およびこれらの組合せからなる群より選択される、請求項３７または３８に記載のフォトルミネセンス品。
【請求項４１】
前記フォトルミネセンス蛍光物質の少なくともいくつかは、放出色変更蛍光物質であり、前記放出色変更蛍光物質は、前記フォトルミネセンス蛍光物質の添加前に認識される色と比較して前記フォトルミネンス品の認識される色を変更するために、前記フォトルミネセンス品の放出スペクトルを変更する、請求項３５または３６に記載のフォトルミネセンス品。
【請求項４２】
前記放出色変更蛍光物質は、ローダミン染料および蛍光染料を含むキサンテン系蛍光染料、クマリン染料、ナイルレッド、ナイルブルー、クレシルバイオレットを含むフェノキサゾン染料、フェノキサゾールスチリル系染料、カルボスチリル系染料、スチルベン系染料、およびこれらの組合せからなる群より選択される、請求項４１に記載のフォトルミネセンス品。
【請求項４３】
放出色変更蛍光物質をさらに含み、前記放出色変更蛍光物質は、前記フォトルミネセンス蛍光物質の添加前に認識される色と比較して前記フォトルミネセンス品の認識される色を変更するために、前記フォトルミネセンス品の放出スペクトルを変更する、請求項３７または３８に記載のフォトルミネセンス品。
【請求項４４】
前記励起変更フォトルミネセンス蛍光物質は、クマリン、スチリルベンゼン、オキサゾール、カルボスチリル、スチルベン、およびこれらの組合せからなる群より選択され、さらに前記放出色変更蛍光物質は、ローダミン染料および蛍光染料を含むキサンテン系蛍光染料、クマリン染料、ナイルレッド、ナイルブルー、クレシルバイオレットを含むフェノキサゾン染料、フェノキサゾールスチリル系染料、カルボスチリル系染料、スチルベン系染料、およびこれらの組合せからなる群より選択される、請求項４３に記載のフォトルミネセンス品。
【請求項４５】
前記フォトルミネセンス蛍光物質の少なくともいくつかが、そのような物質のない昼光色と比較して前記フォトルミネセンス品の昼光色を変更する、請求項３５または３６に記載のフォトルミネセンス品。
【請求項４６】
前記フォトルミネセンス蛍光物質は、前記フォトルミネセンス蛍光保護層用の保護配合物において使用される液体キャリア媒体に溶解する、請求項４１〜４５のいずれか一項に記載のフォトルミネセンス品。
【請求項４７】
前記光安定剤が、Ｔｉｎｕｖｉｎ  ２９２、Ｔｉｎｕｖｉｎ  ４０５、Ｃｈｉｍａｓｏｒｂ  ２０２０２、Ｔｉｍｕｖｉｎ  ３２８、またはこれらの組合せである、請求項３６〜４６のいずれか一項に記載のフォトルミネセンス品。
【請求項４８】
フォトルミネセンス品を製造する方法であって、
（ａ）成形済み物品を得る工程と、
（ｂ）前記成形済み物品に、少なくとも１種のフォトルミネセンスリン光性配合物または少なくとも１種のフォトルミネセンス配合物を塗布する工程と、を含み、
前記フォトルミネセンスリン光性配合物は、請求項１〜１６のいずれか一項に記載の配合物を含み、前記フォトルミネセンス配合物は、請求項１７〜２８のいずれか一項に記載の配合物を含む、方法。
【請求項４９】
（ｃ）前記成形済み物品に少なくとも１種の反射配合物を塗布する工程をさらに含み、
前記フォトルミネセンス層は前記成形済み物品の遠位にあり、前記反射層は前記成形済み物品の近位にあり、さらに前記反射層は、前記フォトルミネセンス品からの総放出量が白色反射率層の総放出量の８０％を超えるような反射率を特徴とする、請求項４８のいずれか一項に記載のフォトルミネセンス品を製造する方法。
【請求項５０】
（ｃ）前記成形済み物品に少なくとも１種の保護配合物を塗布する工程をさらに含み、
前記保護層は前記成形済み物品の遠位にあり、前記フォトルミネセンス層は前記成形済み物品の近位にあり、前記保護層はＦＴが少なくとも９５％である、請求項４８に記載のフォトルミネセンス品を製造する方法。
【請求項５１】
前記成形済み物品は、通路、通路標識、通路の照明、全ての形態の看板、屋外用装飾品、屋外用の像、屋外用の置物、屋外用照明、屋外用オーナメント、屋外の樹木ハンギング道具、海洋品、ボート、ブイ、器具類、安全装置、ヘルメット、安全帽、ベスト、運動用具、バスケットボール、テニスボール、ゴルフボール、ゴルフボールの芯、ゴルフボールのカバー、野球ボール、ラケットボール、グローブ、アームプロテクター、膝プロテクター、肩プロテクター、バックボード、スポーツネット、リクレーション装置、水泳用プール、水泳用プールの側面、水泳用プールのへり、水泳用プールの底面、休日用装飾品、キャンドル、床、傘、車、壁、階段、階段の個々の段、歩道、車道、人形、およびおもちゃからなる群より選択される、請求項４８〜５０のいずれか一項に記載のフォトルミネセンス品を製造する方法。
【請求項５２】
前記成形済み物品は、ゴルフボール、ゴルフボールの芯またはゴルフボールのカバーである、請求項４８〜５０のいずれか一項に記載のフォトルミネセンス品を製造する方法。
【請求項５３】
前記フォトルミネセンス品は、アメリカプロゴルフ協会の仕様を満たすゴルフボールである、請求項４８〜５０のいずれか一項に記載のフォトルミネセンス品を製造する方法。